(57)【特許請求の範囲】
【請求項１】
交流電圧出力部から出力される交流電圧を直流電圧に変換する変換手段と、該変換手段から出力される電流が入力される蓄電手段と、前記変換手段から出力される電流を平滑化する平滑用インダクタとを備える直流交流変換装置において、
前記変換手段は、前記交流電圧出力部および前記蓄電手段を備えるループ経路に設けられて且つ、前記交流電圧出力部の一対の端子のうち電位の高くなる側から前記蓄電手段の高電位側の端子への電流の流れを許容して且つ逆方向の電流の流れを阻止するダイオードを備え、
前記ダイオードは、そのリカバリ電流が前記交流電圧出力部を流れる方向が前記交流電圧出力部の出力電圧によって流れる電流と同方向となるものであり、
前記平滑用インダクタに並列に接続されたスナバコンデンサと、
前記変換手段から出力された電流が前記スナバコンデンサおよび前記蓄電手段を流れるループ経路において、前記蓄電手段の充電側の電流を許容して且つ逆方向の電流を阻止する第１整流手段と、
前記スナバコンデンサおよび前記変換手段を備えるループ経路において前記スナバコンデンサの放電電流を許容して且つ前記スナバコンデンサの充電電流を阻止する第２整流手段と、
インダクタを備えて且つ、インダクタンスを可変とすることで、前記スナバコンデンサおよび前記変換手段を備えるループ経路のインピーダンスを可変とするインピーダンス可変手段とを備えることを特徴とする直流交流変換装置。
【請求項２】
前記直流交流変換装置の出力電圧が高い場合、前記インピーダンス可変手段の操作によって前記インピーダンスを低下させる制御手段をさらに備えることを特徴とする請求項１記載の直流交流変換装置。
【請求項３】
前記交流電圧出力部は、トランスの２次側コイルであり、
前記トランスの１次側コイルは、フルブリッジ回路からなり、
前記フルブリッジ回路のスイッチング素子をフェーズシフト処理にて操作するソフトスイッチング手段をさらに備えることを特徴とする請求項１または２に記載の直流交流変換装置。
【請求項４】
前記交流電圧出力部は、トランスの２次側コイルであり、
前記変換手段は、前記蓄電手段の一対の端子間に接続されるダイオードの直列接続体であって且つ、直列接続されるダイオード同士の接続点に前記２次側コイルの一方の端子が接続されるものと他方の端子が接続されるものとの一対の直列接続体を備えることを特徴とする請求項１〜３のいずれか１項に記載の直流交流変換装置。
【発明の詳細な説明】
【技術分野】
【０００１】
本発明は、交流電圧出力部から出力される交流電圧を直流電圧に変換する変換手段と、該変換手段から出力される電流が入力される蓄電手段と、前記変換手段から出力される電流を平滑化する平滑用インダクタとを備える直流交流変換装置に関する。
【背景技術】
【０００２】
この種の直流交流変換装置としては、たとえば下記特許文献１に見られるものも提案されている。これは、トランスの２次側コイルに印加される交流電圧を直流電圧に変換すべく一対のダイオードの直列接続体が蓄電手段に並列接続されたものにおいて、ダイオードのリカバリ電流に起因したサージを吸収するためのスナバコンデンサを備えるものである。スナバコンデンサの充電エネルギは、スナバコンデンサの放電エネルギを蓄えるスナバインダクタを介して、蓄電手段に放出される。
【先行技術文献】
【特許文献】
【０００３】
【特許文献１】特開平１−２９５６７５号公報
【発明の概要】
【発明が解決しようとする課題】
【０００４】
ただし、上記技術では、蓄電手段の電圧（直流交流変換装置の出力電圧）によっては効率の低下を招く等の不都合が生じることが発明者らによって見出されている。
【０００５】
本発明は、上記課題を解決する過程でなされたものであり、その目的は、交流電圧出力部から出力される交流電圧を直流電圧に変換する変換手段と、該変換手段から出力される電流が入力される蓄電手段と、前記変換手段から出力される電流を平滑化する平滑用インダクタとを備える新たな直流交流変換装置を提供することにある。
【課題を解決するための手段】
【０００６】
以下、上記課題を解決するための手段、およびその作用効果について記載する。
【０００７】
第１の発明は、交流電圧出力部から出力される交流電圧を直流電圧に変換する変換手段と、該変換手段から出力される電流が入力される蓄電手段と、前記変換手段から出力される電流を平滑化する平滑用インダクタとを備える直流交流変換装置において、
前記変換手段は、前記交流電圧出力部および前記蓄電手段を備えるループ経路に設けられて且つ、前記交流電圧出力部の一対の端子のうち電位の高くなる側から前記蓄電手段の高電位側の端子への電流の流れを許容して且つ逆方向の電流の流れを阻止するダイオードを備え、前記ダイオードは、そのリカバリ電流が前記交流電圧出力部を流れる方向が前記交流電圧出力部の出力電圧によって流れる電流と同方向となるものであり、前記平滑用インダクタに並列に接続されたスナバコンデンサと、前記変換手段から出力された電流が前記スナバコンデンサおよび前記蓄電手段を流れるループ経路において、前記蓄電手段の充電側の電流を許容して且つ逆方向の電流を阻止する第１整流手段と、前記スナバコンデンサおよび前記変換手段を備えるループ経路において前記スナバコンデンサの放電電流を許容して且つ前記スナバコンデンサの充電電流を阻止する第２整流手段と、前記スナバコンデンサおよび前記変換手段を備えるループ経路のインピーダンスを可変とするインピーダンス可変手段とを備えることを特徴とする。
【０００８】
上記ループ経路のインピーダンスは、スナバコンデンサの充放電量を制御する機能を有する。また、スナバコンデンサの充放電量に応じて、スナバコンデンサの充電電圧や、直流交流変換装置の変換効率が変動し、しかも、この変動は、直流交流変換装置の出力電圧に依存する。このため、スナバコンデンサの充電電圧や直流交流変換装置の変換効率を最適化するうえでのインピーダンスは、出力電圧に依存する。上記発明では、この点に鑑み、インピーダンス可変手段を備えることで、出力電圧が変動したとしても、都度の出力電圧に応じて、スナバコンデンサの充電電圧や直流交流変換装置の変換効率を適切なものとすることが可能となる。
【０００９】
第２の発明は、第１の発明において、前記直流交流変換装置の出力電圧が高い場合、前記インピーダンス可変手段の操作によって前記インピーダンスを低下させる制御手段をさらに備えることを特徴とする。
【００１０】
出力電圧が高い場合、インピーダンスが低いほど効率が高くなる傾向にある。上記発明では、この点に鑑み、上記制御手段を備えた。
【００１１】
第３の発明は、第１または第２の発明において、前記インピーダンス可変手段は、インダクタを備えて且つ、インダクタンスを可変とする手段であることを特徴とする。
【００１２】
インダクタは、エネルギを蓄えつつ電流の流れを制限する機能を有するものである。このため、上記発明では、インピーダンス可変手段をインダクタを備えて構成することで、エネルギの損失を極力回避しつつ電流を制限することができる。
【００１３】
第４の発明は、第１〜第３の発明のいずれかにおいて、前記交流電圧出力部は、トランスの２次側コイルであり、前記トランスの１次側コイルは、フルブリッジ回路からなり、前記フルブリッジ回路のスイッチング素子をフェーズシフト処理にて操作するソフトスイッチング手段をさらに備えることを特徴とする。
【００１４】
第５の発明は、第１〜第４の発明のいずれかにおいて、前記交流電圧出力部は、トランスの２次側コイルであり、前記変換手段は、前記蓄電手段の一対の端子間に接続されるダイオードの直列接続体であって且つ、直列接続されるダイオード同士の接続点に前記２次側コイルの一方の端子が接続されるものと他方の端子が接続されるものとの一対の直列接続体を備えることを特徴とする。
【図面の簡単な説明】
【００１５】
【図１】一実施形態にかかるシステム構成図。
【図２】同実施形態にかかる電圧変換処理を示す回路図。
【図３】同実施形態にかかる電圧変換処理を示す回路図。
【図４】スナバインダクタンスと電力変換効率との関係を示す図。
【図５】上記実施形態にかかるインダクタンスの変更処理の手順を示す流れ図。
【図６】同実施形態の効果を示す図。
【発明を実施するための形態】
【００１６】
以下、本発明にかかる直流交流変換装置を車載充電装置に適用した一実施形態について、図面を参照しつつ説明する。
【００１７】
図１に、本実施形態にかかるシステム構成を示す。
【００１８】
図示されるコンバータＣＮＶは、車載充電装置に搭載されるものである。すなわち、車両の外部から供給される商用電源からの電力を所定の直流電圧とする装置（図示略）の出力部となる入力側コンデンサ１０について、その電圧を出力側コンデンサＣｏの電圧に変換するものである。詳しくは、コンバータＣＮＶは、絶縁型コンバータであり、トランスＴを備えて構成されている。
【００１９】
トランスＴの１次側には、入力側コンデンサ１０の両電極間に並列接続されたスイッチング素子Ｓ１およびスイッチング素子Ｓ２の直列接続体と、スイッチング素子Ｓ３およびスイッチング素子Ｓ４の直列接続体とを備えている。本実施形態では、スイッチング素子Ｓ１〜Ｓ４として、ＮチャネルＭＯＳ電界効果トランジスタを例示している。なお、図中、ダイオードＤ１〜Ｄ４のそれぞれは、スイッチング素子Ｓ１〜Ｓ４のそれぞれのボディダイオードである。
【００２０】
上記スイッチング素子Ｓ１〜Ｓ４のそれぞれには、コンデンサＣ１〜Ｃ４が並列接続されている。また、スイッチング素子Ｓ１およびスイッチング素子Ｓ２の接続点と、スイッチング素子Ｓ３およびスイッチング素子Ｓ４の接続点との間には、トランスＴの１次側コイルＷ１が接続されている。図では、上記一対の接続点の間に、１次側コイルＷ１とともに、漏れインダクタＬｌ１が記載されているが、これは、独立して存在する部品およびトランスＴの構成によって生じる漏れインダクタのいずれであってもよい。
【００２１】
上記出力側コンデンサＣｏには、ダイオードＤａおよびダイオードＤｂの直列接続体と、ダイオードＤｃおよびダイオードＤｄの直列接続体とが並列接続されている。これらダイオードＤａ〜Ｄｄは、２次側コイルＷ２から出力される交流電圧を直流電圧に変換して出力するための手段である。
【００２２】
ダイオードＤａおよびダイオードＤｂの接続点と、ダイオードＤｃおよびダイオードＤｄの接続点との間には、トランスＴの２次側コイルＷ２が接続されている。図では、これら一対の接続点間に、２次側コイルＷ２に加えて、漏れインダクタＬｌ２が記載されているが、これは、独立して存在する部品およびトランスＴの構成によって生じる漏れインダクタのいずれであってもよい。
【００２３】
上記ダイオードＤａ，Ｄｃのカソードは、平滑用インダクタＬｏを介して出力側コンデンサＣｏに接続されている。また、平滑用インダクタＬｏには、スナバコンデンサＣｓおよびスナバダイオードＤｓ１の直列接続体が並列接続されている。ここで、スナバダイオードＤｓ１は、スナバコンデンサＣｓ側から出力側コンデンサＣｏ側への電流の流れを許容して且つ逆方向の電流の流れを阻止する整流手段である。
【００２４】
上記ダイオードＤｂ，Ｄｄのアノード側と、スナバコンデンサＣｓおよびスナバダイオードＤｓ１の接続点との間には、上記アノード側から接続点側への電流の流れを許容して且つ逆方向の電流の流れを阻止する整流手段（スナバダイオードＤｓ２）が接続されている。詳しくは、スナバダイオードＤｓ２は、セレクタＳＬを介してスナバインダクタＬｓと接続されるか、ダイオードＤｂ，Ｄｄのアノード側に直接接続されるかが切替可能となっている。
【００２５】
制御装置２０は、セレクタＳＬに操作信号ｍｓ５を出力して、セレクタＳＬの切り替えを行う処理や、スイッチング素子Ｓ１〜Ｓ４に操作信号ｍｓ１〜ｍｓ４を出力することで、入力側コンデンサ１０の電圧を変換して出力側コンデンサＣｏに印加する処理を行う。
【００２６】
以下、図２および図３を用いて、セレクタＳＬによってスナバインダクタＬｓが選択されているときにおける電力変換処理について説明する。
【００２７】
図２（ａ）は、スイッチング素子Ｓ１，Ｓ４がオン状態とされて且つスイッチング素子Ｓ２，Ｓ３がオフ状態とされている期間を示す。この場合、図中、一点鎖線にて示すように、入力側コンデンサ１０の正極、スイッチング素子Ｓ１、１次側コイルＷ１、スイッチング素子Ｓ４および入力側コンデンサ１０の負極にて構成されるループ経路が閉状態となり、１次側コイルＷ１に電圧が印加されるとともに、このループ経路を電流が流れる。
【００２８】
これに伴って、トランスＴの２次側には、一点鎖線にて示すように、２次側コイルＷ２、ダイオードＤｃ、平滑用インダクタＬｏ、出力側コンデンサＣｏ、ダイオードＤｂを備える閉ループ経路に電流が流れる。また、図中、破線にて示すように、スナバインダクタＬｓ、スナバダイオードＤｓ２，Ｄｓ１および出力側コンデンサＣｏの閉ループ経路において、スナバインダクタＬｓに蓄えられたエネルギが放出される。
【００２９】
図２（ｂ）は、スイッチング素子Ｓ１がオン状態とされて且つスイッチング素子Ｓ２〜Ｓ４がオフ状態とされている期間を示す。この期間は、ソフトスイッチングを行うために設けられたものであり、フェーズシフト処理の一貫として設けられるものである。すなわち、スイッチング素子Ｓ１，Ｓ４を同時にオフ操作する代わりに、スイッチング素子Ｓ１をオン状態に維持することで、漏れインダクタＬｌ１に蓄えられたエネルギを、スイッチング素子Ｓ１、１次側コイルＷ１、ダイオードＤ３を備える閉ループ経路を用いて還流させる。
【００３０】
この際、トランスＴの２次側では、図中、一点鎖線にて示すループ経路において、平滑用インダクタＬｏと漏れインダクタＬｌ２に蓄えられたエネルギが放出される。この際、２次側コイルＷ２には電圧が誘起されていないため、この電流は、基本的には、出力側コンデンサＣｏの充電電圧を、平滑用インダクタＬｏおよび漏れインダクタＬｌ２のインダクタンスの和で除算した値に比例した減少速度で漸減する。
【００３１】
ただし、この際、図中、破線にて示すように、ダイオードＤｃ，２次側コイルＷ２、ダイオードＤｂ、スナバインダクタＬｓおよびスナバダイオードＤｓ２を備えるループ経路によって、スナバコンデンサＣｓが放電する。このため、２次側コイルＷ２の電流の減少速度は、正確には、出力側コンデンサＣｏの充電電圧を、平滑用インダクタＬｏおよび漏れインダクタＬｌ２のインダクタンスの和で除算した値に比例したものよりも大きくなっている。なお、スナバコンデンサＣｓの放電電流は、スナバコンデンサＣｓの充電電圧を、スナバインダクタＬｓおよび漏れインダクタＬｓ２のインダクタンスの和で除算した値に比例した増加速度で漸増する。
【００３２】
図２（ｃ）は、スイッチング素子Ｓ１，Ｓ３がオン状態とされて且つスイッチング素子Ｓ２，Ｓ４がオフ状態とされている期間を示す。この期間は、ソフトスイッチングを行うために設けられたものであり、フェーズシフト処理の一貫として設けられるものである。すなわち、スイッチング素子Ｓ３のオン状態への切替以前にダイオードＤ３に順方向電流が流れることで、スイッチング素子Ｓ３の両端の電圧は略ゼロとなっている。このため、スイッチング素子Ｓ３のオン状態への切り替えをゼロボルトスイッチングとすることができる。
【００３３】
この期間においては、漏れインダクタＬｌ１に蓄えられたエネルギが、スイッチング素子Ｓ３、スイッチング素子Ｓ１、および１次側コイルＷ１を備える閉ループ経路を用いて還流する。この際、トランスＴの２次側で生じる現象は、図２（ｂ）に示した期間のものと同様である。
【００３４】
図３（ａ）は、スイッチング素子Ｓ３がオン状態とされて且つスイッチング素子Ｓ１，Ｓ２，Ｓ４がオフ状態とされている期間を示す。この期間は、ソフトスイッチングを行うために設けられたものであり、フェーズシフト処理の一貫として設けられるものである。この期間においては、漏れインダクタＬｌ１に蓄えられたエネルギが、スイッチング素子Ｓ３、入力側コンデンサ１０、ダイオードＤ２、および１次側コイルＷ１を備える閉ループ経路を用いて還流する。
【００３５】
この期間においては、１次側コイルＷ２に入力側コンデンサ１０の電圧が印加されることに伴った電圧が２次側コイルＷ２に誘起される。このため、ダイオードＤａ，平滑用インダクタＬｏ、出力側コンデンサＣｏ、ダイオードＤｄおよび２次側コイルＷ２を備えるループ経路に電流が流れる。これに伴い、ダイオードＤｃ、平滑用インダクタＬｏ、出力側コンデンサＣｏ、ダイオードＤｂ、および２次側コイルＷ２を備える閉ループ経路に流れる電流が漸減する。また、２次側コイルＷ２に電圧が誘起されることで、スナバコンデンサＣｓの放電電流は漸減する。
【００３６】
図３（ｂ）は、スイッチング素子Ｓ２，Ｓ３がオン状態とされて且つスイッチング素子Ｓ１，Ｓ４がオフ状態とされる期間である。この期間に移行することで、スイッチング素子Ｓ１，Ｓ４がオン且つスイッチング素子Ｓ２，Ｓ３がオフの状態から、スイッチング素子Ｓ１，Ｓ４がオフ且つスイッチング素子Ｓ２，Ｓ３がオンの状態へとスイッチング状態を切り替える処理の終了となる。ここで、スイッチング素子Ｓ２のオン状態への切替は、ソフトスイッチングとなる。すなわち、スイッチング素子Ｓ２のオン状態への切替以前にダイオードＤ２に順方向電流が流れることで、スイッチング素子Ｓ２の両端の電圧は略ゼロとなっている。このため、スイッチング素子Ｓ２のオン状態への切り替えをゼロボルトスイッチングとすることができる。
【００３７】
図３（ｂ）では、特に、１次側コイルＷ１に流れる電流が反転し、また、ダイオードＤｂ、Ｄｃの順方向電流がゼロとなった直後の状態を示している。この場合、図中、破線にて示すように、スナバコンデンサＣｓ、ダイオードＤｃ、２次側コイルＷ２、ダイオードＤｂ、スナバインダクタＬｓおよびスナバダイオードＤｓ２を備えるループ経路を介して、ダイオードＤｂ，Ｄｃにリカバリ電流（逆方向の電流）が流れる。このリカバリ電流の増加速度は大きいが、これによって漏れインダクタＬｌ２に誘起される電圧は、入力側コンデンサ１０の電圧が１次側コイルＷ１に印加されることで２次側コイルＷ２に誘起される電圧とは極性が逆となるため、ダイオードＤａ，Ｄｂの直列接続体やダイオードＤｃ，Ｄｄの直列接続体の両端の電圧が過度に大きくなることはない。
【００３８】
図３（ｃ）に、上記リカバリ電流が減少する場合を示す。この場合、漏れインダクタＬｓ２に誘起される電圧の極性が、入力側コンデンサ１０の電圧が１次側コイルＷ１に印加されることで２次側コイルＷ２に誘起される電圧の極性と同じとなる。このため、ダイオードＤａ，Ｄｂの直列接続体やダイオードＤｃ，Ｄｄの直列接続体の両端の電圧が増大する。ただし、これに伴い、２次側コイルＷ２，漏れインダクタＬｌ２、ダイオードＤａ、スナバコンデンサＣｓ、スナバダイオードＤｓ１、出力側コンデンサＣｏ、ダイオードＤｄを備えるループ経路でスナバコンデンサＣｓが充電される。これにより、上記一対の直列接続体の両端の電圧は、スナバコンデンサＣｓの電圧によって制限される。
【００３９】
ここで、スナバコンデンサＣｓの静電容量が大きいほど、リカバリ電流の減少期間におけるスナバコンデンサＣｓの充電電圧の増加量を減少させることができる。ただし、スナバコンデンサＣｓの静電容量を大きくする場合、スナバコンデンサＣｓの放電量が大きくなり、電力変換処理によって生じる損失が増大するおそれがある。これに対し、本実施形態では、スナバコンデンサＣｓの放電電流を、スナバインダクタＬｓによって制限することで、スナバコンデンサＣｓの静電容量を大きくしつつも、損失の低減を図っている。ここで、放電電流を制限する上では、スナバインダクタＬｓのインダクタンスをある程度大きくする必要があり、ひいてはその大型化を招くおそれがある。しかし、本実施形態では、フェーズシフト処理によって、スナバインダクタＬｓと漏れインダクタＬｌ２との協働で、スナバコンデンサＣｓの放電経路のインピーダンス素子を構成するようにしたため、スナバインダクタＬｓを小型化することができる。
【００４０】
ところで、上記スナバインダクタＬｓのインダクタンスの最適値は、コンバータＣＮＶの出力電圧（出力側コンデンサＣｏの電圧）に応じて変化する。図４に、出力電圧が低い（出力電圧ＶＬである）場合と高い（出力電圧ＶＨである）場合とのそれぞれについて、スナバインダクタＬｓのインダクタンスと電力変換効率との関係を示す。図示されるように、出力電圧が低い場合には、スナバインダクタＬｓのインダクタンスを大きくすることで効率が高くなるのに対し、出力電圧が高い場合には、スナバインダクタＬｓのインダクタンスを大きくすることで効率が低下する。
【００４１】
この現象は、１次側コイルＷ１に電圧が印加されない状態において流れる電流（還流電流）が、スイッチング素子Ｓ１〜Ｓ４や、ダイオードＤａ〜Ｄｄ等の導通損失やトランスＴにおける損失を生じさせる要因となって且つ、スナバコンデンサＣｓの放電電流がこの還流電流を減少させる効果を有することによるものと推定される。すなわち、還流電流を減少させることで還流電流に伴う損失を低減できるものの、スナバコンデンサＣｓの放電電流が大きくなることに伴う損失が増大する。
【００４２】
ここで、出力電圧が低い場合、１次側コイルＷ１に電圧が印加されない期間が長くなるため、スナバコンデンサＣｓの放電期間が長くなる。また、この場合、スナバコンデンサＣｓの充電電圧が高くなるため、放電電流が大きくなる。このため、スナバコンデンサＣｓの放電電流総量が過剰となりやすく、スナバインダクタＬｓのインダクタンスが小さい場合、還流電流を減少させることによる損失の減少効果を、放電電流の増大に伴う損失の増大効果が上回る。
【００４３】
これに対し、出力電圧が高い場合、１次側コイルＷ１に電圧が印加されない期間が短くなるため、スナバコンデンサＣｓの放電期間が短くなる。また、この場合、スナバコンデンサＣｓの充電電圧が低くなるため、放電電流が小さくなる。このため、スナバコンデンサＣｓの放電電流総量が小さくなりやすく、スナバインダクタＬｓのインダクタンスが大きい場合、放電電流の減少に伴う損失の低減効果を、還流電流の減少量が低下することによる損失の増大効果が上回る。
【００４４】
そこで本実施形態では、先の図１に示したように、スナバコンデンサＣｓの放電経路のインピーダンスを可変とする。すなわち、セレクタＳＬによって、放電経路にスナバインダクタＬｓを備えるか備えないかを切り替える。
【００４５】
図５に、本実施形態にかかるインピーダンス可変処理の手順を示す。この処理は、制御装置２０によって、たとえば所定周期で繰り替えし実行される。
【００４６】
この一連の処理では、まずステップＳ１０において、出力電圧Ｖｏが閾値電圧Ｖｔｈ以上であるか否かを判断する。そしてステップＳ１０において肯定判断される場合、ステップＳ１４において、セレクタＳＬをスナバインダクタＬｓが接続されない側に切り替える一方、否定判断される場合、ステップＳ１２において、セレクタＳＬをスナバインダクタＬｓが接続される側に切り替える。
【００４７】
なお、ステップＳ１２，Ｓ１４の処理が完了する場合、この一連の処理を一旦終了する。
【００４８】
図６に、本実施形態の効果を示す。図６（ａ）は、出力電圧が低い（出力電圧ＶＬである）場合と、出力電圧が高い（出力電圧ＶＨである）場合とのそれぞれについて、リカバリ電流の減少時におけるダイオードＤａ，Ｄｂの直列接続体やダイオードＤｃ，Ｄｄの直列接続体の両端の電圧を示す。また、図６（ｂ）は、出力電圧が低い（出力電圧ＶＬである）場合と、出力電圧が高い（出力電圧ＶＨである）場合とのそれぞれにおける電力変換効率を示す。図示されるように、インダクタンスの変更によって、出力電圧ＶＨ，ＶＬのいずれにおいても効率を最適化することができる。
【００４９】
以上詳述した本実施形態によれば、以下の効果が得られるようになる。
【００５０】
（１）コンバータＣＮＶの出力電圧が高い場合、スナバコンデンサＣｓの放電経路のインダクタンスを減少させた。これにより、出力電圧の大きさにかかわらず、電力変換効率を極力高くすることができる。
【００５１】
（２）フェーズシフト処理を行った。これにより、１次側コイルＷ１に電圧が印加されない期間において、漏れインダクタＬｌ２を介して還流電流を流すことができるため、スナバコンデンサＣｓの放電経路のインダクタンスを大きくすることが容易となる。また、この還流電流による損失をスナバコンデンサＣｓの放電電流によって減少させることが可能となるため、スナバコンデンサＣｓの放電電流を制御するメリットが大きくなる。
＜その他の実施形態＞
なお、上記各実施形態は、以下のように変更して実施してもよい。
【００５２】
「インピーダンス可変手段について」
上記実施形態では、スナバインダクタＬｓを用いるか用いないかを切り替える手段としたが、これに限らない。たとえば互いにインピーダンスの相違する複数のインダクタのいずれを用いるかを切り替える手段であってもよい。
【００５３】
もっとも、インダクタに限らず、たとえば線形素子としての抵抗体を用いて、放電経路の抵抗値を可変とする手段であってもよい。
【００５４】
「第１整流手段について」
ダイオードＤｓ１に限らず、たとえばサイリスタ等であってもよい。
【００５５】
「第２整流手段について」
ダイオードＤｓ２に限らず、たとえばサイリスタ等であってもよい。
【００５６】
「蓄電手段について」
出力側コンデンサＣｏに限らず、たとえば２次電池であってもよい。
【００５７】
「交流電圧出力部について」
トランスの２次側コイルに限らない。要は、交流電圧を生成する手段であればよい。ここで、互いに極性の相違する電圧を出力する期間の間の期間において、出力電圧がゼロとなる期間があるなら、フェーズシフトと同様の還流電流が流れることも可能であり、この場合には、上記実施形態の事情によく近似する。
【００５８】
「フェーズシフト処理について」
スイッチング素子Ｓ１〜Ｓ４をハードスイッチングにてオン・オフ操作する場合であっても、漏れインダクタＬｌ２に蓄えられたエネルギによって還流電流が流れる等の事情が生じるなら、インピーダンス可変手段を備えるメリットが生じると考えられる。
【００５９】
「その他」
直流交流変換装置としては、車載充電装置に搭載されるものに限らない。たとえば、住宅内に搭載される充電装置であってもよい。もっとも充電装置にも限らない。
【符号の説明】
【００６０】
Ｄａ〜Ｄｄ…ダイオード、Ｃｓ…スナバコンデンサ、Ｄｓ１，Ｄｓ２…スナバダイオード、Ｌｓ…スナバインダクタ、ＳＬ…セレクタ。
【図１】
0005598426.tif 000002
【図２】
0005598426.tif 000003
【図３】
0005598426.tif 000004
【図４】
0005598426.tif 000005
【図５】
0005598426.tif 000006
【図６】
0005598426.tif 000007